(57)【特許請求の範囲】
【請求項１】
固定刃に対して可動刃が往復駆動する刃部をヘアカッター本体の先端部に設け、刃部を覆う櫛部をヘアカッター本体の対向する側面に設けた回転中心軸に枢支して櫛部の使用位置と非使用位置とに切換え自在にしたヘアカッターであって、上記回転中心軸をヘアカッター本体の厚さ方向に対向する略平行な二面に形成し、櫛部のベース体は板材が対向して側面視で略コ字状に形成され、対向する板材をヘアカッター本体の対向する上記二面の板面に摺接するように櫛部のベース体をヘアカッター本体に上記回転中心軸において枢支して成ることを特徴とするヘアカッター。
【請求項２】
櫛部が上記回転中心軸に対して回転自在及びスライド自在であって、櫛部の使用位置と非使用位置の切換えに際して、櫛部をヘアカッター本体の刃部から遠ざかる方向にスライドさせた状態で回転させて切換え可能として成ることを特徴とする請求項１記載のヘアカッター。
【請求項３】
櫛部が上記回転中心軸に対して回転自在及びスライド自在であって、回転中心軸の一方がヘアカッター本体に、他方が櫛部に設けて成ることを特徴とする請求項１記載のヘアカッター。
【請求項４】
一方の回転中心軸の高さを、櫛部の被枢支部の厚さに略等しくして成ることを特徴とする請求項１記載のヘアカッター。
【請求項５】
刃部の駆動・停止をおこなうスイッチハンドルのオン状態及びオフ状態を表示するマークと櫛部の回転切換え位置を表示するマークとを一つの指示マークにておこなう構成にしたことを特徴とする請求項１記載のヘアカッター。
【請求項６】
櫛部をヘアカッター本体に対して回転させて位置決めする際にクリック感を得るための回転クリック手段と、櫛部をヘアカッター本体に対して直線的にスライドさせて位置決めする際にクリック感を得るためのスライドクリック手段とを別部材にして成ることを特徴とする請求項２記載のヘアカッター。
【請求項７】
異なる櫛機能を備えた複数の櫛部の各々がヘアカッター本体に着脱自在になされて成ることを特徴とする請求項１記載のヘアカッター。
【発明の詳細な説明】
【０００１】
【発明の属する技術分野】
本発明は、ヘアカッターに関し、詳しくは、固定刃に対して可動刃が往復駆動する刃部をヘアカッター本体の先端部に設け、刃部を覆う櫛部をヘアカッター本体の対向する側面に設けた回転中心軸に枢支して櫛部の使用位置と非使用位置とに切換え自在にしたヘアカッターに関し、更に詳しくは、櫛部の使用中に櫛部が不用意に変位することがなくて使いやすくしようとする技術に係るものである。
【０００２】
【従来の技術】
従来、図２２に示す実公昭６３−１９０２４号のように、固定刃１に対して可動刃２が往復駆動する刃部３をヘアカッター本体４の先端部に設け、刃部３を覆う櫛部５をヘアカッター本体４の対向する側面に設けた回転中心軸Ｘ，Ｘに枢支して櫛部５の使用位置と非使用位置とに切換え自在にしたヘアカッターにおいては、回転中心軸Ｘ，Ｘはヘアカッター本体４の左右両側面に設けてあった。
【０００３】
【発明が解決しようとする課題】
ところで、このような構成においては、刃部３の前方に櫛部５を位置させて毛髪をカットするときの作用方向とヘアカッター本体４の回動方向が略一致していて、櫛部５を使用しているときに櫛部５を支持している支持アームＳ，Ｓが回転中心軸Ｘ，Ｘの回りに回転して櫛部５の設定位置が変位しやすいという問題があった。
【０００４】
本発明はこのような問題に鑑みてなされたものであり、櫛部の使用中に櫛部が不用意に変位することがなくて使いやすいヘアカッターを提供することを課題とするものである。
【０００５】
【課題を解決するための手段】
請求項１においては、固定刃１に対して可動刃２が往復駆動する刃部３をヘアカッター本体４の先端部に設け、刃部３を覆う櫛部５をヘアカッター本体４の対向する側面に設けた回転中心軸Ｘ，Ｘに枢支して櫛部５の使用位置と非使用位置とに切換え自在にしたヘアカッターであって、上記回転中心軸Ｘ、Ｘをヘアカッター本体４の厚さ方向に対向する略平行な二面に形成し、櫛部５のベース体７は板材７ａ、７ｂが対向して側面視で略コ字状に形成され、対向する板材７ａ、７ｂをヘアカッター本体４の対向する上記二面の板面に摺接するように櫛部５のベース体７をヘアカッター本体４に上記回転中心軸Ｘ，Ｘにおいて枢支していることを特徴とするものである。このような構成によれば、ヘアカッター本体４の厚さ方向に対向する略平行な二面に形成した回転中心軸Ｘに枢支された櫛部５はヘアカッター本体４の厚さ方向とは略直交する方向にのみ回動するのであり、櫛部５を刃部３の前方にセットして毛髪をカットしているときの負荷によって櫛部５がヘアカッター本体４の厚さ方向に変位するのを効果的に阻止することができ、カットを安定的におこなえ、使いやすいものである。
【０００６】
請求項２においては、櫛部５が上記回転中心軸Ｘ，Ｘに対して回転自在及びスライド自在であって、櫛部５の使用位置と非使用位置の切換えに際して、櫛部５をヘアカッター本体４の刃部３から遠ざかる方向にスライドさせた状態で回転させて切換えを可能としてあることを特徴とするものである。このような構成によれば、櫛部５を刃部３に近づけている使用状態においては櫛部５を回動させることができず、カット時に、一層効果的に、櫛部５が逃げるのを防止することができるものである。
【０００７】
請求項３においては、櫛部５が上記回転中心軸Ｘ，Ｘに対して回転自在及びスライド自在であって、回転中心軸Ｘ，Ｘの一方がヘアカッター本体４に、他方が櫛部５に設けてあることを特徴とするものである。このような構成によれば、ヘアカッター本体４の回転中心軸Ｘと櫛部５の回転中心軸Ｘとが一致しなければ櫛部５は回転させることができず、スライド途中において櫛部５が回転することがなく、又、回転途中にスライドすることがなく、一層、使いやすいものである。
【０００８】
請求項４においては、一方の回転中心軸Ｘの高さを、櫛部５の被枢支部２３Ａの厚さに略等しくしてあることを特徴とするものである。このような構成によれば、櫛部５を使用位置から非使用位置に回転させた場合にも、回転中心軸Ｘと被枢支部２３Ａとは同じ高さとなっていて、いずれの位置においても違和感がないものである。
【０００９】
請求項５においては、刃部３の駆動・停止をおこなうスイッチハンドル２８のオン状態及びオフ状態を表示するマークと櫛部５の回転切換え位置を表示するマークとを一つの指示マークＭにておこなう構成にしたことを特徴とするものである。このような構成によれば、スイッチハンドル２８と櫛部５の切換え位置の表示のための構成を簡素化でき、一目で各位置が判り、便利である。
【００１０】
請求項６においては、櫛部５をヘアカッター本体４に対して回転させて位置決めする際にクリック感を得るための回転クリック手段３３と、櫛部５をヘアカッター本体４に対して直線的にスライドさせて位置決めする際にクリック感を得るためのスライドクリック手段３４とを別部材にしてあることを特徴とするものである。このような構成によれば、回転モーメントが発生する櫛部５の回転操作と、慣性モーメントが発生し難い櫛部５の直線的なスライド操作とのいずれにおいても適正なクリック感を得るように構成することができ、一層、使いやすくなるものである。
【００１１】
因みに、櫛部５の回転操作は回転モーメントが生じるため、回転クリック手段３３のクリック力は強く設定しておく必要があり、又、櫛部５の上下方向の直線的な操作は、回転操作のように大きなモーメントが生じることがなくてスライドクリック手段３４のクリック力は小さくてもよいものであり、一つのクリック手段にて回転と直線の両方の操作において適性なクリック力を得ることができないものである。
【００１３】
請求項７においては、異なる櫛機能を備えた複数の櫛部５の各々がヘアカッター本体４に着脱自在になされていることを特徴とするものである。このような構成によれば、異なる櫛機能のうち好みのものを選択して使用することができ、多様なカットの要望に対応することができ、又、新たなヘアースタイルに対してもそれに対応した櫛部５を用意するだけで、ヘアカット本体４はそのまま使用することができ、経済的である等のものである。
【００１４】
【発明の実施の形態】
以下、本発明の実施の形態を説明する。
【００１５】
ヘアカッターＡは、図４乃至図６に示すように、ヘアカッター本体４の先端部に刃部３が配置され、刃部３は、櫛歯状の固定刃１と櫛歯状の可動刃２が互いに摺接するように重ねられ、モータ８の出力軸９に偏心カム１０を介して偏心軸１１を連結し、偏心軸１１より中間伝導部を介して可動刃２を往復摺動することにより毛髪を切断するようになっている。
【００１６】
図５及び図９に示すように、ベース体７は二枚の板材７ａ，７ｂを上部側端部において連結片７ｃ，７ｃにて連結して側面視において略コ字状に形成されている。櫛歯６は複数枚の櫛片６ａ…を備えていて、櫛歯６の基部６ｂがベース体７の上端部で二枚の板材７ａ，７ｂ間にガイド手段１３を介して櫛歯６の高さ方向に出入り自在に保持している。上の板材７ａには小判状の操作孔１４が櫛歯６の高さ方向とは略直交する方向に長く形成され、操作孔１４に切換えハンドル１５が係止脚１６等のガイド手段を介してスライド操作自在に設けている。
【００１７】
切換えハンドル１５にはボス１７，１７が立設され、櫛歯６の基部６ｂには斜めに被動孔１８，１８が形成され、ボス１７が被動孔１８に挿通されて切換えハンドル１５を図９の矢印イ方向に操作することで、櫛歯６を矢印ロ方向に出退できるようになっている。切換えハンドル１５には突起１９が形成され、操作孔１４の縁部には凹部２０，２０が形成され、突起１９がいずれかの凹部２０に係入して切換えハンドル１５の位置決めをおこなって、櫛歯６の出退量の調整をおこなえるようになっている。
【００１８】
ヘアカッターＡを構成している分割ハウジングの一方のハウジング１２に円盤状の回転軸２７を係止爪２１にて保持している。図７に示すように、回転軸２７の中心が上記櫛部５を回転操作させる回転中心軸Ｘになっている。他方のハウジング２２において回転軸２７に相当する位置に円弧部２４が形成されるとともに円弧部２４に連なってスライド溝２５が形成されている。一方、櫛歯６を出退自在に備えているベース体７の上の板材７ａには長孔２３が形成され、他方の板材７ｂには摺動回転子２６が突出されている。摺動回転子２６が円弧部２４の中心の回転中心軸Ｘのまわりに回転して、櫛部５を回転操作できるようにしている。
【００１９】
しかして、ベース体７の二枚の板材７ａ，７ｂをヘアカッター本体４のハウジング１２，２２の板面に摺接するようにベース体７をヘアカッター本体４に外嵌させるのであり、この場合、図２に示すように、回転軸２７が長孔２３の下端に位置する場合に、摺動回転子２６がスライド溝２５の端部の円弧部２４に位置してベース体７を矢印ハ方向に自由に揺動できるようにしてなっている。この状態から図３に示すように、摺動回転子２６をスライド溝２５に沿ってスライドさせるとともにベース体７をハウジング１２，２２の板面に摺動させてベース体７の櫛歯６をヘアカッター本体４の刃部３に近接させるようになっている。この場合、図７に示すように、摺動回転子２６がスライド溝２５の端部に位置して回転軸２７との共同でベース体７の回転を阻止するようにしている。
【００２０】
このように、櫛歯６を刃部３に近接させた状態で、切換えハンドル１５をスライドさせて刃部３に対する櫛歯６の位置を変更して刈り高さ調整をおこなうのである。
【００２１】
このように、櫛部５は、刃部３の刃先方向に高さを有する複数の櫛歯６とヘアカッター本体４に揺動自在に保持されたベース体７との２部品から構成して櫛歯６はベース体７に対して櫛歯６の高さ方向にスライド自在に構成することで、ベース体７に対して櫛歯６を移動させることで刈り高さ調整をおこなうことができ、従来のように、ベース体７及び櫛歯６を一体的に移動させる構成のものに比べて操作性を高めるのである。
【００２２】
更に、櫛部５の操作方向を櫛歯６のヘアカッター本体４に対するスライド方向とは略直交する方向にしてあって、櫛歯６は刈り高さ調整方向とは略直交する方向の分力をもって刈り高さ調整方向に移動するのであり、櫛歯６の操作方向を従来のように刈り高さ調整方向に移動する構成のものに比べて負荷によって櫛歯６が押し込められることが軽減させることができるのである。
【００２３】
回転軸２７の操作凹部３０にはスイッチハンドル２８がスリット２９を介してスライド自在に挿通されていて、スイッチハンドル２８のスライド操作にて接点金具３１を動作させてモータ８への電力を供給及び停止させて可動刃２の駆動をオン・オフさせることができるようにしている。符号４１は電池陰極金具、４２は電池陰極金具、４３はモータ陽極金具である。
【００２４】
図１及び図５に示すように、回転軸２７にはスリット状の指示マークＭを形成してあり、スイッチハンドル２８に形成したオン位置表示ライン４４，オフ位置表示ライン４５との一致においてスイッチハンドル２８の操作位置を表示できるようにしている。
【００２５】
図１に示すように、櫛部５のベース体７にはボリュームおとしマーク４６が形成されてボリュームおとしマーク４６を指示マークＭに一致させることで、櫛部５を使用して毛髪のボリュームをおとす状態を表示し、又、ベース体７にはカットマーク４７が形成されてカットマーク４７を指示マークＭに一致させることで、刃部３において毛髪をカットする状態を表示している。
【００２６】
このように、刃部３の駆動・停止をおこなうスイッチハンドル２８のオン状態及びオフ状態を表示するマークと櫛部５の回転切換え位置を表示するマークとを一つの指示マークＭにておこなうようにしていて、スイッチハンドル２８と櫛部５の切換え位置の表示のための構成を簡素化でき、一目で各位置が判り、便利である。
【００２７】
ところで、回転軸２７の高さと、ベース体７の長孔２３の深さが略等しくなっていて、このように一方の回転中心軸Ｘの高さが、櫛部５の被枢支部２３Ａの厚さに略等しくしてあって、櫛部５を使用位置から非使用位置に回転させた場合にも、回転中心軸Ｘと被枢支部２３Ａとは同じ高さとなっていて、いずれの位置においても違和感がないものである。
【００２８】
図１０乃至図１３は他の実施の形態を示していて、櫛部５をヘアカッター本体４に対して回転させて位置決めする際にクリック感を得るための回転クリック手段３３と、櫛部５をヘアカッター本体４に対して直線的にスライドさせて位置決めする際にクリック感を得るためのスライドクリック手段３４とを別部材にしたものである。以下、詳述する。但し、基本的な構成は上述の実施の形態と同じであり、共通する部材には同一の符号を付して説明は省略する。
【００２９】
櫛部５のベース体７には略円形の開口を閉塞する蓋５０に回転ホルダー５１が取り付けられ、回転ホルダー５１にはスライドクリック手段３４を構成するスライドクリック爪５２が開閉自在に取り付けられている。
【００３０】
ヘアカッター本体４には凹所５３が形成され、凹所５３の中心部には回転凹部５４が形成され、回転クリック手段３３を構成する回転クリック板５５の凸部５６を回転凹部５４に挿合させて回転クリック板５５をヘアカッター本体４に回転自在に設けてある。回転クリック板５５には突起５８を設けてある。回転クリック板５５には外部ホルダー５７を設けてこの外部ホルダー５７に櫛部５側の回転ホルダー５１を挿入するとともに櫛部５側のスライドクリック爪５２に突起５８を係入することで、櫛部５の櫛歯６をヘアカッター本体４の刃部３に対して遠くに離した回転可能位置にクリックして位置決めして、回転ホルダー５１を介して回転クリック板５５を回転させて櫛部５をヘアカッター本体４に対して回転させて非使用位置へと回転移動することができるようにしている。この場合、回転クリック板５５には弾性突起６１，６１を形成していて、ヘアカッター本体４側の凸部６２，６２に係止して櫛部５の使用位置と非使用位置とにおいてクリック感を得て位置決めすることができるようにしている。
【００３１】
又、ヘアカッター本体４にはスライド溝６０を形成した保持板５９を固定していて、回転クリック板５５の外部ホルダー５７の位置が保持板５９のスライド溝６０に一致する状態において、外部ホルダー５７に保持されている櫛部５側の回転ホルダー５１を外部ホルダー５７から脱出させて保持板５９のスライド溝６０に挿合させることで櫛部５の櫛歯６をヘアカッター本体４の刃部３に近接させる櫛部５の使用位置にスライド移動することができるようにしている。この場合、ヘアカッター本体４側の他の突起６２にスライドクリック爪５２がクリックされるのである。
【００３２】
このような構成によれば、回転モーメントが発生する櫛部５の回転操作と、慣性モーメントが発生し難い櫛部５の直線的なスライド操作とのいずれにおいても適正なクリック感を得るように構成することができるのであり、一層、使いやすくなるものである。
【００３３】
図１４乃至図１７は参考例を示していて、ヘアカッター本体４の厚さ方向に対向する略平行な二面のうち一面に回転中心軸Ｘを設定するとともに、櫛部５をヘアカッター本体４に対して回転させて位置決めする際にクリック感を得るための回転クリック手段３３と、櫛部５をヘアカッター本体４に対して直線的にスライドさせて位置決めする際にクリック感を得るためのスライドクリック手段３４とを単部材にしたものであり、但し、本参考例の基本構成は上記実施の形態と共通であり、共通する部分には同一の符号を付して説明は省略する。
【００３４】
図１５及び図１６に示すように、櫛部５におけるベース体７の対向する板材７ａ，７ｂのうち一方の板材７ｂを他方より短くして、長い方の板材７ａの長孔２３をヘアカッター本体４側の回転軸２７に回転及びスライド自在に挿通して、櫛部５をヘアカッター本体４に対して回転中心軸Ｘの回りに回転及び長孔２３の範囲においてスライド自在にしている。このように、ヘアカッター本体４の厚さ方向に対向する略平行な二面のうち一面に回転中心軸Ｘを設定している。
【００３５】
ヘアカッター本体４のハウジング１２には回転軸２７の両側部で、回転中心軸Ｘを中心とする同一円周上に一対の突起６３，６３を設けている。櫛部５の板材７ａには長孔２３に沿ってスライド溝６４ａ，６４ａ及び回転案内溝６４ｂを形成している。又、回転案内溝６４ｂに連通して弧状溝６４ｃ，６４ｃが長孔２３の縁部に開口して形成されている。しかして、櫛部５のスライド溝６４ａをヘアカッター本体４の突起６３に挿合することで、櫛部５のスライド溝６４ａの範囲でヘアカッター本体４に対してスライド自在にしてあり、又、長孔２３の櫛歯４とは反対側の端部に回転軸２７が位置する状態で、ヘアカッター本体４を回転させることで、突起６３が回転案内溝６４ｂ，弧状溝６４ｃ及び長孔２３を横断して櫛部５がヘアカッター本体４に対して回転中心軸Ｘの回りに回転できるようにしている。
【００３６】
櫛部５のスライド溝６４ａには突部６５を櫛歯６側及びその反対側に合計４個設けてあり、これらの突部６５を乗り越えることで、スライドクリック作用及び回転クリック作用をおこなうことができるようにしている。
【００３７】
このように、櫛部５をヘアカッター本体４に対して回転させて位置決めする際にクリック感を得るための回転クリック手段３３と、櫛部５をヘアカッター本体４に対して直線的にスライドさせて位置決めする際にクリック感を得るためのスライドクリック手段３４とを単部材にしてあって、部材の兼用化を図って、ヘアカッター本体４の厚みを薄くできて持ちやすく使用しやすくしている。
【００３８】
図１８は更に他の実施の形態を示す断面図であり、但し、本実施の形態の基本構成は上記実施の形態と共通であり、共通する部分には同一の符号を付して説明は省略する。
【００３９】
本実施の形態においては、ヘアカッター本体４のハウジング１２に開口６６を形成し、板ばね６７にて突起６３であるクリック部材６８を突出付勢して、クリック部材６８を櫛部５のスライド溝６４ａ或いは回転案内溝６４ｂ若しくは弧状溝６４ｃに弾入することができるようにしている。
【００４０】
図１９は更に他の実施の形態を示す断面図であり、但し、本実施の形態の基本構成は上記実施の形態と共通であり、共通する部分には同一の符号を付して説明は省略する。
【００４１】
本実施の形態においては、コイルスプリング６９にて突起６３であるクリック部材６８を突出付勢したものである。
【００４２】
図２０及び図２１は更に他の実施の形態を示す斜視図であり、但し、本実施の形態の基本構成は上記実施の形態と共通であり、共通する部分には同一の符号を付して説明は省略する。
【００４３】
本実施の形態においては、異なる櫛機能を備えた複数の櫛部５…の各々がヘアカッター本体４に着脱自在になされているものである。即ち、図２０（ａ）においては、櫛歯６…の高さが低く、同図（ｂ）においては、櫛歯６の高さが高く、図２１（ａ）においては、櫛歯６…の高さが徐々に低く、同図（ｂ）においては、櫛歯６…の高さが徐々に高くしたものであり、しかして、刈り高さを揃えて低く、又、揃えて高く、又、左右の耳回りなどの際刈りなどが容易におこなえるのである。このように、複数の櫛部５…であって、異なる櫛機能のうち好みのものを選択して使用することで、多様なカットの要望に対応することができ、又、新たなヘアースタイルに対してもそれに対応した櫛部５を用意するだけで、ヘアカット本体４はそのまま使用することができ、経済的である。
【００４４】
【発明の効果】
請求項１においては、固定刃に対して可動刃が往復駆動する刃部をヘアカッター本体の先端部に設け、刃部を覆う櫛部をヘアカッター本体の対向する側面に設けた回転中心軸に枢支して櫛部の使用位置と非使用位置とに切換え自在にしたヘアカッターであって、上記回転中心軸をヘアカッター本体の厚さ方向に対向する略平行な二面に形成し、櫛部のベース体は板材が対向して側面視で略コ字状に形成され、対向する板材をヘアカッター本体の対向する上記二面の板面に摺接するように櫛部のベース体をヘアカッター本体に上記回転中心軸において枢支してあるから、ヘアカッター本体の厚さ方向に対向する略平行な二面に形成した回転中心軸に枢支された櫛部はヘアカッター本体の厚さ方向とは略直交する方向にのみ回動するのであり、櫛部を刃部の前方にセットして毛髪をカットしているときに負荷によって櫛部がヘアカッター本体の厚さ方向に変位するのを効果的に阻止することができ、カットを安定的におこなえ、使いやすいという利点がある。
【００４５】
請求項２においては、櫛部が上記回転中心軸に対して回転自在及びスライド自在であって、櫛部の使用位置と非使用位置の切換えに際して、櫛部をヘアカッター本体の刃部から遠ざかる方向にスライドさせた状態で回転させて切換えを可能としてあるから、請求項１の効果に加えて、櫛部を刃部に近づけている使用状態においては櫛部を回動させることができず、カット時に、一層効果的に、櫛部が逃げるのを防止することができるという利点がある。
【００４６】
請求項３においては、櫛部が上記回転中心軸に対して回転自在及びスライド自在であって、回転中心軸の一方がヘアカッター本体に、他方が櫛部に設けてあるから、請求項１の効果に加えて、ヘアカッター本体の回転中心軸と櫛部の回転中心軸とが一致しなけらば櫛部は回転させることができず、スライド途中において櫛部が回転することがなく、又、回転途中にスライドすることがなく、一層、使いやすいという利点がある。
【００４７】
請求項４においては、一方の回転中心軸の高さを、櫛部の被枢支部の厚さに略等しくしてあるから、請求項１の効果に加えて、櫛部を使用位置から非使用位置に回転させた場合にも、回転中心軸と被枢支部とは同じ高さとなっていて、いずれの位置においても違和感がなくてよい。
【００４８】
請求項５においては、刃部の駆動・停止をおこなうスイッチハンドルのオン状態及びオフ状態を表示するマークと櫛部の回転切換え位置を表示するマークとを一つの指示マークにておこなう構成にしたから、請求項１の効果に加えて、スイッチハンドルと櫛部の切換え位置の表示のための構成を簡素化でき、一目で各位置が判り、便利である。
【００４９】
請求項６においては、櫛部をヘアカッター本体に対して回転させて位置決めする際にクリック感を得るための回転クリック手段と、櫛部をヘアカッター本体に対して直線的にスライドさせて位置決めする際にクリック感を得るためのスライドクリック手段とを別部材にしてあるから、請求項２の効果に加えて、回転モーメントが発生する櫛部の回転操作と、慣性モーメントが発生し難い櫛部の直線的なスライド操作とのいずれにおいても適正なクリック感を得るように構成することができ、一層、使いやすくなるという利点がある。
【００５１】
請求項７においては、異なる櫛機能を備えた複数の櫛部の各々がヘアカッター本体に着脱自在になされているから、請求項１の効果に加えて、異なる櫛機能のうち好みのものを選択して使用することができ、多様なカットの要望に対応することができ、新たなヘアースタイルに対してもそれに対応した櫛部を用意するだけで、ヘアカット本体はそのまま使用することができ、経済的である等という利点がある。
【図面の簡単な説明】
【図１】本発明の実施の形態を示し、櫛部の非使用位置を示し、（ａ）は正面図、（ｂ）は背面図である。
【図２】同上の櫛部の回転状態を示し、（ａ）は正面図、（ｂ）は背面図である。
【図３】  (ａ)は同上の櫛部の使用位置の正面図、（ｂ）は側面図、（ｃ）は背面図である。
【図４】同上の使用位置の断面図である。
【図５】同上の部分分解斜視図である。
【図６】同上の部分分解斜視図である。
【図７】同上のベース体のヘアカッター本体に対する回転・スライド構成を示し、（ａ）は一部破談した背面図、（ｂ）はベース体側の断面図である。
【図８】同上の断面図である。
【図９】同上の櫛部及びその近傍部の分解斜視図である。
【図１０】同上の他の実施の形態の分解斜視図である。
【図１１】同上の断面図である。
【図１２】同上の回転クリック手段及びスライドクリック手段を示し、（ａ）はヘアカッター本体側の平面図、（ｂ）は櫛部側の破断した平面図である。
【図１３】同上の断面図である。
【図１４】  同上の参考例を示し、（ａ）は正面図、（ｂ）は側面図、（ｃ）は背面図である。
【図１５】同上のベース体の斜視図である。
【図１６】同上のヘアカッター本体の斜視図である。
【図１７】同上の断面図である。
【図１８】同上の更に他の実施の形態の断面図である。
【図１９】同上の更に他の実施の形態の断面図である。
【図２０】同上の更に他の実施の形態を示し、（ａ）（ｂ）は斜視図である。
【図２１】（ａ）（ｂ）は同上の斜視図である。
【図２２】従来例の斜視図である。
【符号の説明】
１  固定刃
２  可動刃
３  刃部
４  ヘアカッター本体
５  櫛部
６  櫛歯
７  ベース体
【図１】
0003769957.tif 000002
【図２】
0003769957.tif 000003
【図３】
0003769957.tif 000004
【図４】
0003769957.tif 000005
【図５】
0003769957.tif 000006
【図６】
0003769957.tif 000007
【図７】
0003769957.tif 000008
【図８】
0003769957.tif 000009
【図９】
0003769957.tif 000010
【図１０】
0003769957.tif 000011
【図１１】
0003769957.tif 000012
【図１２】
0003769957.tif 000013
【図１３】
0003769957.tif 000014
【図１４】
0003769957.tif 000015
【図１５】
0003769957.tif 000016
【図１６】
0003769957.tif 000017
【図１７】
0003769957.tif 000018
【図１８】
0003769957.tif 000019
【図１９】
0003769957.tif 000020
【図２０】
0003769957.tif 000021
【図２１】
0003769957.tif 000022
【図２２】
0003769957.tif 000023